(57)【要約】【課題】全体的な組み合せ構造が比較的簡単で、生産コストを低下させ、生産の上で経済効果を向上する嵌め込み固定式の歯間ブラシ構造を提供する。【解決手段】把柄１を備え、それが少なくとも一端に凹孔１１が設けられて、刷毛体２を備え、ワイヤ２１の一端周縁に複数の発射状を呈するブラシ２２を設け、ワイヤ２１の一端を把柄１の凹孔１１に設け、押体３を備え、ワイヤ２１の一端の部位を把柄１の凹孔１１に押し入れて、ワイヤ２１を凹孔１１内に捻ってカシメ部２３を形成し、押体３でカシメ部２３を係止して、刷毛体２を把柄１にしっかり挿通保持させることができる。【選択図】図７
0003122165.tif 000002
【実用新案登録請求の範囲】
【請求項１】
把柄と刷毛体とを備え、
前記把柄の一端部に凹孔が設けられ、
前記刷毛体はワイヤの一端周縁に複数の発射状を呈するブラシが設けられ、前記ワイヤの一端が前記把柄の凹孔に設けられ、押体で前記ワイヤの一端の部位が前記把柄の凹孔に押し入れられ、前記ワイヤを凹孔内に捻ってカシメ部が形成され、前記押体がカシメ部を係止し、前記刷毛体が把柄に挿通保持されていることを特徴とする嵌込み固定式の歯間ブラシ構造。
【請求項２】
前記押体は、金属ピンであって、それは押し付けられて前記刷毛体のワイヤの一端を前記把柄の凹孔に埋め込ませた後、前記金属ピンはＵ形曲折状を呈して前記凹孔の壁面に装着されることで固定されることを特徴とする請求項１に記載の嵌込み固定式の歯間ブラシ構造。
【請求項３】
前記押体は、挿通柱あって、それは前記把柄の凹孔に挿通して、直接ワイヤのカシメ部と密に固定されることを特徴とする請求項１に記載の嵌込み固定式の歯間ブラシ構造。
【請求項４】
前記押体とワイヤとの連結する一端に、凹槽が設けられて、それは前記カシメ部に挟まれることで脱落を防止可能であることを特徴とする請求項３に記載の嵌込み固定式の歯間ブラシ構造。
【考案の詳細な説明】
【技術分野】
【０００１】
本考案は、嵌め込み固定式の歯間ブラシ構造であって、特に構造が簡単で、組み合せが便利で、しかも連結が堅固な歯間ブラシ構造に関する。
【背景技術】
【０００２】
伝統的な歯間ブラシの構造は、複数のきわめて細い金属の線で互いに巻き付いてまっすぐな螺旋状の線を形成し、螺旋状の線の一端側縁にブラシが設けられ、当該ブラシは比較的堅い人造繊維を材質として、平均的に当該真直ぐなシャフト端部の周縁に密着されて外へ発散して円柱の形を呈し、当該まっすぐな螺旋状の線の他端は握りやすい把柄と結び付けられ、当該把柄は直接プラスチックで当該螺旋状の線の端部から伸び出て成型されるか、或いはゴムがくっつく方式で当該螺旋状の線の端部と連結されることで、使用者に握りやすい構造の設計を提供する。
【０００３】
しかしながら、もし前記把柄がゴムがくっつく方式で当該螺旋状の線の端部と連結すると、加工には簡単になっているが、二つ間の連結強固性は低く脱落しやすいので、よく搬運中或は使用中に脱落する。直接当該螺旋状の線の端部から外へ発散して成型すると、好ましい連結強固性を有するため、搬運中或は使用中に脱落することはあまり起こらないが、全体的の加工プロセスが比較的複雑で、しかも製造の難度が高く、生産コストが増加し、産量を向上させにくくなるだけでなく、その生産の上でも経済効果に合わない。
【考案の開示】
【考案が解決しようとする課題】
【０００４】
本考案は歯間ブラシの構造における欠点に鑑みてなされたものであり、考案者はこの欠点に対して研究改良して、本考案を創作した。
本考案の主な目的は、嵌め込み固定式の歯間ブラシ構造を提供して、全体的な組み合せ構造が比較的簡単で、生産コストを低下させて、その生産の上でも経済効果を向上することである。
本考案の他の目的は、嵌め込み固定式の歯間ブラシ構造を提供して、刷毛体と把柄間との連結を極めてしっかりし、脱落しにくい構造で品質の強固性を確認させることである。
【課題を解決するための手段】
【０００５】
本考案の前記目的及び効果を達するために、用いられる技術手段は、把柄を備え、それが少なくとも一端に凹孔が設けられて、刷毛体を備え、ワイヤの一端周縁に複数の発射状を呈するブラシを設け、前記ワイヤの一端を前記把柄の凹孔に設け、押体を備え、前記ワイヤの一端の部位を前記把柄の凹孔に押し入れて、前記ワイヤを凹孔内に捻ってカシメ部を形成し、前記押体でカシメ部を係止して、前記刷毛体を把柄にしっかり挿通保持させることができる。
本考案の上記記載と他の目的、構造、作用及び効果は、下記の図面と詳細な説明を参照して完全に理解できる。
【考案を実施するための最良の形態】
【０００６】
本考案の第一実施例による歯間ブラシの主な構造は、図１及び図２の示す分解斜視図及び斜視図、及び図３から図７に示す各々の組み合せ動作を示す図を参照することで、はっきり見えて、把柄１、刷毛体２、及び金属ピン３を備える。把柄１は、一端部に凹孔１１が設けられる。刷毛体２は、ワイヤ２１の一端周縁に複数の発射状を呈するブラシ２２が設けられる。金属ピン３は長形の金属材質の片状体である。
【０００７】
組み合せる時、ワイヤ２１の一端は把柄１の凹孔１１に設けられて、金属ピン３をワイヤ２１の一端部の上方に横向きに交差させて、凸柱４０を利用して金属ピン３とワイヤ２１とを押し付けて、把柄１の凹孔１１に挿通させて、ワイヤ２１の一端部は凹孔１１に自然に捻られてカシメ部２３を形成し、金属ピン３はＵ形曲折状を呈し、当該二端部は凹孔１１内壁面に係止固定され、カシメ部２３の上方に装着され、ワイヤ２１をしっかり把柄１の凹孔１１に固定して、刷毛体２も把柄１と結合させることができる。これにより、使用者は直接当該把柄１を便利に握ることができ、刷毛体２のブラシ２２を操作して歯間を清掃する。
【０００８】
本考案の第二実施例による歯間ブラシの主な構造は、図８及び図９に示す組み合せ動作を示す図、及び図１０から図１２に示す各々の組み合せ動作を示す断面図を参照することで、はっきり見えて、把柄１、刷毛体２、及び挿通柱４を備え、把柄１、刷毛体２は、前記第一実施例の構造と同様で、挿通柱４は少なくともその一端に凹槽４１の柱体を有する。
【０００９】
組み合せる時、ワイヤ２１の一端は把柄１の凹孔１１に設けられ、凹槽４１で直接挿通柱４をワイヤ２１の一端部の上方に押し付けて、把柄１の凹孔１１に挿通させて、ワイヤ２１の一端部は凹孔１１に捻られてカシメ部２３を形成し、挿通柱４は外部へカシメ部２３の両端を押し付け、凹孔１１の内壁面に係止固定し、ワイヤ２１をしっかり把柄１の凹孔１１に固定し、刷毛体２も把柄１と結合させることができる。
【００１０】
前記の記載で、本考案の実施例の嵌め込み固定式の歯間ブラシ構造は、確かに構造が簡単で、組み合せがしっかりしており、産業上の利用性、新規性及び進歩性があることを分かる。
また、前記の記載は、本考案の好ましい実施形態を示して説明したが、上述した実施形態にのみ限定されるものではなく、本考案の請求項に基づく種々の構成変更実施は本考案の請求範囲に属する。
【図面の簡単な説明】
【００１１】
【図１】本考案の第一実施例による歯間ブラシの分解斜視図である。
【図２】本考案の第一実施例による歯間ブラシの斜視図である。
【図３】本考案の第一実施例による歯間ブラシの組み合せ動作を示す図である。
【図４】本考案の第一実施例による歯間ブラシの組み合せ動作を示す図である。
【図５】本考案の第一実施例による歯間ブラシの組み合せ動作を示す断面図である。
【図６】本考案の第一実施例による歯間ブラシの組み合せ動作を示す断面図である。
【図７】本考案の第一実施例による歯間ブラシの組み合せ動作を示す断面図である。
【図８】本考案の第二実施例による歯間ブラシの組み合せ動作を示す図である。
【図９】本考案の第二実施例による歯間ブラシの組み合せ動作を示す図である。
【図１０】本考案の第二実施例による歯間ブラシの組み合せ動作を示す断面図である。
【図１１】本考案の第二実施例による歯間ブラシの組み合せ動作を示す断面図である。
【図１２】本考案の第二実施例による歯間ブラシの組み合せ動作を示す断面図である。
【符号の説明】
【００１２】
１  把柄、１１  凹孔、２  刷毛体、２１  ワイヤ、２２  ブラシ、２３  カシメ部、３  金属ピン、４  挿通柱、４１  凹槽、４０  凸柱
【図１】
0003122165.tif 000003
【図２】
0003122165.tif 000004
【図３】
0003122165.tif 000005
【図４】
0003122165.tif 000006
【図５】
0003122165.tif 000007
【図６】
0003122165.tif 000008
【図７】
0003122165.tif 000009
【図８】
0003122165.tif 000010
【図９】
0003122165.tif 000011
【図１０】
0003122165.tif 000012
【図１１】
0003122165.tif 000013
【図１２】
0003122165.tif 000014